(57)【要約】【課題】被写体にカメラを意識させることなく、自然な状態を撮影する。【解決手段】前面を閉塞した主鏡筒１１の前部主鏡筒１１ａは、カメラ本体に結合する後部主鏡筒１１ｂに回転自在に連結されている。前部主鏡筒１１ａの一側部には、円筒状の副鏡筒１８がヘリコイドねじ１９による螺合によって取り付けられ、副鏡筒１８には対物レンズ２０が取り付けられている。対物レンズ２０の第１の光軸Ｌ１は後部主鏡筒１１ｂに設けた補助レンズ１７の第２の光軸Ｌ２と直交している。  前部主鏡筒１１ａ内には、第１反射鏡２１、第２反射鏡２２が配置されており、対物レンズ２０からの入射光は第１反射鏡２１で反射され、更に第２反射鏡２２を経て補助レンズ１７を介して、カメラ本体内の撮像面３に結像するようにされている。【選択図】図２
2012237926.tif 000002
【特許請求の範囲】
【請求項１】
前方を閉塞した円筒状の主鏡筒と、該主鏡筒から側方に向けて配置すると共に対物レンズを保持し該対物レンズの光軸を中心軸とする円筒状の副鏡筒とから成り、前記対物レンズの光軸を前記主鏡筒内において反射鏡によりカメラ本体の撮像面の方向に折り曲げ、前記対物レンズからの被写体像を前記撮像面に結像させることを特徴とするカメラレンズ。
【請求項２】
前記主鏡筒の前記カメラ本体側に補助レンズを配置し、前記対物レンズの光軸と前記補助レンズの光軸とを前記反射鏡により一致させ、前記対物レンズに入射した前記被写体像は前記補助レンズを介して前記撮像面に結像することを特徴とする請求項１に記載のカメラレンズ。
【請求項３】
前記主鏡筒は、前記副鏡筒を備えた前部主鏡筒と、前記カメラ本体に結合する後部主鏡筒とから成り、前記前部主鏡筒はその中心軸を中心として前記後部主鏡筒に対し回転可能としたことを特徴とする請求項１又は２に記載のカメラレンズ。
【請求項４】
前記副鏡筒は前記主鏡筒にねじにより取り付け、該ねじを用いた前記副鏡筒の回転により、前記対物レンズを前後進させ前記対物レンズによる前記撮像面への焦点位置を調整することを特徴とする請求項１〜３の何れか１つの請求項に記載のカメラレンズ。
【請求項５】
前記反射鏡は２枚用いて前記撮像面において前記被写体像の正立像を得るようにしたことを特徴とする請求項１〜４の何れか１つの請求項に記載のカメラレンズ。
【請求項６】
前記副鏡筒には前記対物レンズの径とほぼ同等の径のフード機構を設けたことを特徴とする請求項１〜５の何れか１つの請求項に記載のカメラレンズ。
【請求項７】
請求項１〜５の何れか１つの請求項に記載のカメラレンズを用いたカメラ。
【発明の詳細な説明】
【技術分野】
【０００１】
本発明は、例えば子供等を被写体として撮影する際に、被写体に撮影されていることを意識させずに、自然な表情や動作等の写真を撮影できるカメラレンズに関するものである。
【背景技術】
【０００２】
通常、カメラはカメラ本体に取り付けられたレンズを介して、カメラ本体内に内蔵されている撮像素子やフィルムの撮像面に正対する正面方向の被写体を撮影する。
【発明の概要】
【発明が解決しようとする課題】
【０００３】
しかしながら、従来のレンズを用いたカメラにより撮影する場合に、被写体である子供等は、レンズが向けられると撮影されていることを意識したり、緊張して身構えてしまい、自然な表情や動作を撮影することはなかなか困難である。
【０００４】
従って、撮影者は被写体である子供等に撮影されていることを意識させないためには、離れた場所や物陰から撮影する必要がある。
【０００５】
本発明の目的は、上述の問題点を解消し、見掛け上のレンズの側面方向に位置する子供等を撮影することにより、被撮影者に撮影されていることを認識させないカメラレンズを提供することにある。
【課題を解決するための手段】
【０００６】
上記目的を達成するための本発明に係るカメラレンズは、前方を閉塞した円筒状の主鏡筒と、該主鏡筒から側方に向けて配置すると共に対物レンズを保持し該対物レンズの光軸を中心軸とする円筒状の副鏡筒とから成り、前記対物レンズの光軸を前記主鏡筒内において反射鏡によりカメラ本体の撮像面の方向に折り曲げ、前記対物レンズからの被写体像を前記撮像面に結像させることを特徴とする。
【発明の効果】
【０００７】
本発明に係るカメラレンズによれば、被写体である子供等は、見掛け上のレンズ方向と異なる位置にいるため、自分が撮影されていることを意識させることなく、撮影者はその自然な表情等を撮影することができる。
【図面の簡単な説明】
【０００８】
【図１】カメラ本体にカメラレンズを取り付けた状態の斜視図である。
【図２】カメラレンズの内部構成図である。
【図３】カメラ本体に対し主鏡筒を回動させた状態の斜視図である。
【発明を実施するための形態】
【０００９】
本発明を図示の実施例に基づいて詳細に説明する。
図１は本実施例におけるカメラレンズをカメラ本体に取り付けた状態の斜視図を示している。本実施例においては、一眼レフレックスタイプのカメラ本体１に対して、交換式の鏡筒から成るカメラレンズ２としているが、カメラ本体１とカメラレンズ２とを一体化したレンズ一体型カメラにおいても用いることができる。
【００１０】
図２はカメラレンズの内部構成図を示している。軽金属又は合成樹脂材から成る円筒状の主鏡筒１１は前部主鏡筒１１ａと後部主鏡筒１１ｂとから成り、前部主鏡筒１１ａは後部主鏡筒１１ｂに対し３６０度回転可能に連結されている。前部主鏡筒１１ａと後部主鏡筒１１ｂとは摺動面１２において面接触しており、この摺動面１２にはグリスが塗布され、回転摺動抵抗が調節されている。前部主鏡筒１１ａの前端は遮蔽板１３により光学的に遮光され、その前面にはダミーガラス１４が設けられており、更にカモフラージュのためのフード１５が取り付けられている。
【００１１】
後部主鏡筒１１ｂの後端には、カメラ本体１の図示しない雌マウントと結合する雄マウント１６が設けられており、雄マウント１６の前方の後部主鏡筒１１ｂ内には負のパワーを持つ補助レンズ１７が配置されている。
【００１２】
このように前面を閉塞した主鏡筒１１の前部主鏡筒１１ａの一側部には、軽金属又は合成樹脂材から成る円筒状の副鏡筒１８がヘリコイドねじ１９による螺合によって取り付けられている。副鏡筒１８には正のパワーを持つ対物レンズ２０が取り付けられ、この対物レンズ２０はヘリコイドねじ１９により数〜１０数ｍｍ前後進できるようになっている。
【００１３】
対物レンズ２０の第１の光軸Ｌ１は補助レンズ１７の第２の光軸Ｌ２と前部主鏡筒１１ａ内で直交している。また、副鏡筒１８の対物レンズ２０の前方の円筒部は、対物レンズ２０の径とほぼ同内径でフードとして長く形成されており、対物レンズ２０を外部から見付け難くすると共に、フレア等が入り難い構造とされている。そして、副鏡筒１８の内面１８ａは光の乱反射を防止するための黒色の植毛処理がなされている。
【００１４】
前部主鏡筒１１ａ内には、対物レンズ２０の第１の光軸Ｌ１上に第１反射鏡２１が配置され、補助レンズ１７の第２の光軸Ｌ２上に第２反射鏡２２が配置されている。対物レンズ２０からの入射光は第１反射鏡２１で反射され、更に第２反射鏡２２を経て補助レンズ１７に入射するように、反射鏡２１、２２の角度が定められている。
【００１５】
反射鏡２１、２２はガラス板にアルミニウムメッキを施し、更にシリコンコーティングされている。なお、鏡筒１１内でのフレアの発生を防止するために、反射鏡２１、２２の表面は所要の反射領域を残して、反射領域の周囲に黒色の反射防止剤が塗布されている。これらの反射鏡２１、２２は金属製の台座２３、２４上に接着剤により貼り付けてから、台座２３、２４は前部主鏡筒１１ａの内側に正確に位置決めされて固定される。そして、対物レンズ２０に入射する例えば被写体像は反射鏡２１、２２を経て、更に補助レンズ１７を介して、カメラ本体１内のフィルム又はＣＣＤ等の撮像素子から成る撮像面３に結像するようにされている。
【００１６】
カメラレンズ２を雄マウント１６を用いて、カメラ本体１に取り付けると、補助レンズ１７の第２の光軸Ｌ２と一致することになる。これにより、副鏡筒１８の対物レンズ２０から主鏡筒１１内に入射した被写体像は、主鏡筒１１内で反射鏡２１、２２により直角に折り曲げられ、補助レンズ１７を介して撮像面３に結像する。
【００１７】
撮影時において、主鏡筒１１の前部にはダミーガラス１４が設けられているため、周囲の人にはカメラ本体１の視野方向はカメラレンズ２の前方にあると錯覚させるので、カメラ本体１の側方に位置する人がカメラを意識することはない。被写体に副鏡筒１８を向けて、図示しないファインダによる画像や撮像素子により得られる被写体の画像を観察しながら、副鏡筒１８をヘリコイドねじ１９により回転させると、対物レンズ２０は第１の光軸Ｌ１に沿って移動するので、撮像面３における被写体像の焦点距離を合わせることができる。
【００１８】
前部主鏡筒１１ａはカメラ本体１に対して３６０度回転可能とされているため、カメラレンズ２が見掛け上、正面方向を向いていても、対物レンズ２０を内蔵した副鏡筒１８を、図３に示すように上下左右の任意の方向に向けて回転させて撮影を行うことができる。
【００１９】
なお実施例においては、補助レンズ１７は主鏡筒１１の後部主鏡筒１１ｂ内に配置したが、後部主鏡筒１１ｂに対し回転可能な前部主鏡筒１１ａ内に配置しても支障はない。
【００２０】
また、補助レンズ１７は被写体像を拡大する役割を果しているが、補助レンズ１７がなくとも、対物レンズ２０の焦点距離を大きくして、被写体像を撮像面３に結像させることは可能である。なお、補助レンズ１７を設けない場合には、主鏡筒１１内に塵埃が入らないように、例えば補助レンズ１７の位置にガラス板等を設けることが必要である。
【００２１】
主鏡筒１１内の反射鏡は１枚でも第１の光軸Ｌ１を折り曲げて被写体像が撮像面３に向かうようにすることはできるが、撮像面３において正立像が得られず、例えば左右反転像となるので、実施例のように２枚の反射鏡２１、２２を用いて正立像が得られるようにすることが好ましい。なお、左右反転像であっても、撮像素子を用いる場合は電気回路により出力信号の演算して反転を補正したり、或いは焼付け時に撮像素子の出力信号を補正することによっても、反転像を正立像に補正可能である。
【００２２】
また実施例では、光軸Ｌ１、Ｌ２は主鏡筒１１内で直交させたが、必ずしも直交ではなく、対物レンズ２０の第1の光軸Ｌ１を補助レンズ１７の第2の光軸Ｌ２に対して、例えば４５度、６０度として、カメラレンズの見掛け上の方向に対し、副鏡筒１８を斜め前方に向けるような構成としてもよい。
【００２３】
なお、主鏡筒１１内の光軸Ｌ１又はＬ２上に中間レンズを配置し、この中間レンズを光軸Ｌ１又はＬ２に沿って移動することによって、ズーム機能を持たせることもできる。
【００２４】
また、撮像面３に撮像素子を配置して、その出力を基に副鏡筒１８の対物レンズ２０を電動機により前後進するように構成することにより、自動合焦カメラ装置とすることもできる。
【符号の説明】
【００２５】
１  カメラ本体
２  カメラレンズ
３  撮像面
１１  主鏡筒
１１ａ  前部主鏡筒
１１ｂ  後部主鏡筒
１６  雄マウント
１７  補助レンズ
１８  副鏡筒
１９  ヘリコイドねじ
２０  対物レンズ
２１、２２  反射鏡
【図１】
2012237926.tif 000003
【図２】
2012237926.tif 000004
【図３】
2012237926.tif 000005